(57)【要約】【課題】高輝度化と省スペース化を同時に達成でき、かつ輝線や暗線が発生しない線状導光体とそれを用いた照明装置、及び液晶表示装置を提供する。【解決手段】発光ダイオード６からの光を線状光源に変換する線状導光体４であって、線状導光体４は、長尺な単一部材で形成されるとともに、光導入部８と導光部９とを有している。光導入部８は、発光ダイオード６からの光を線状導光体４に導入する入射面８ａと、線状導光体４に導入された光を反射する反射部８ｂとを有し、導光部９は、入射面８ａと略垂直に配置された出射面９ａを有している。また、導光部９の出射面９ａと対向する側に、光導入部８が線状導光体４の長手方向に複数配置され、入射面８ａのうち少なくとも１つが、線状導光体４の両端部以外に配置されている。【選択図】  図２
2004227963.tif 000002
【特許請求の範囲】
【請求項１】
点状光源からの光を線状光源に変換する線状導光体であって、前記線状導光体は、長尺な単一部材で形成されるとともに、光導入部と導光部とを有し、前記光導入部は、前記点状光源からの光を前記線状導光体に導入する入射面と、前記線状導光体に導入された光を反射する反射部とを有し、前記導光部は、前記入射面と略垂直に配置された出射面を有し、前記反射部は、前記入射面より導入された光を前記出射面に向かうように反射し、前記導光部の前記出射面と反対側に、前記光導入部が前記線状導光体の長手方向に複数配置され、前記入射面のうち少なくとも１つが、前記線状導光体の両端部以外に配置されていることを特徴とする線状導光体。
【請求項２】
前記光導入部のうち少なくとも一つの前記線状導光体の長手方向の長さが、他の光導入部の前記線状導光体の長手方向の長さと異なることを特徴とする請求項１に記載の線状導光体。
【請求項３】
前記光導入部は、前記線状導光体の長手方向の中心に対して対称に配置されていることを特徴とする請求項１または２に記載の線状導光体。
【請求項４】
前記反射部は、複数の凹部と凸部を有することを特徴とする請求項１から３のいずれか一項に記載の線状導光体。
【請求項５】
前記複数の凸部の頂部を結んだ仮想面が、曲面を構成することを特徴とする請求項４のいずれか一項に記載の線状導光体。
【請求項６】
前記反射部は、鏡面からなることを特徴とする請求項１から３のいずれか一項に記載の線状導光体。
【請求項７】
点状光源と、該点光源からの光を導入してそれを線状光源に変換する線状導光体と、該線状導光体からの光を導入してそれを面状に放射する面状導光体とを有する照明装置において、前記線状導光体は、請求項１から６のいずれか一項に記載の線状導光体であることを特徴とする照明装置。
【請求項８】
液晶パネルと、その液晶パネルに装着される照明装置とを有する液晶表示装置において、前記照明装置は、請求項７に記載の照明装置であることを特徴とする液晶表示装置。
【発明の詳細な説明】
【０００１】
【発明の属する技術分野】
本発明は、高輝度化と、省スペース化を同時に達成でき、かつ輝線や暗線が発生しない線状導光体と当該線状導光体を用いた照明装置、液晶表示装置に関するものである。
【０００２】
【従来の技術】近年、携帯電話やＰＤＡ（携帯情報端末）といった各種電子機器の小型化、軽量化に伴い、その可視情報表示部に用いられている液晶表示装置も小型化、軽量化することが求められている。このため、液晶表示装置の照明装置においても様々な提案がなされている。例えば、特許文献１では、図９（ａ）に示すような面状照明装置が記載されている。この面状照明装置９０３は、面状の導光板９０５の側面に線状の導光体９０４を配置し、線状の導光体９０４の両端部に発光ダイオード９０６を配置した照明装置であって、線状の導光体９０４には、出射面９０４ｂと対向する面に、プリズム９０４ａが設けられている。この面状照明装置９０３では、発光ダイオード９０６からの光１０を、線状の導光体９０４に、その端部から導入し、導入した光１０をプリズム９０４ａにおいて反射させて面状の導光板９０５に向けて出射する。面状の導光板９０５に導入された光１０は、その出射面から面状に放射する。
【０００３】
しかしながら、輝度を高めるために発光ダイオードの数を増やすと、図９（ｂ）に示すように線状の導光体９０４の幅が広くなり、省スペース化出来ない。
【０００４】
点状光源の数を増やすと同時に省スペース化も図るものとして、特許文献２には、図１０（ａ）に示すようなサイドライト型面状光源装置が提案されている。このサイドライト型面状光源装置１００では、板状部材１０５の入射面に棒状部材１０４を複数配置したものである。
【０００５】
このサイドライト型面状光源装置１００は、棒状部材１０４が複数配置されているので、棒状部材１０４の幅を広くすることなく、光源数１０６を増やすことができ、高輝度と省スペース化を同時に実現できる。しかし、このサイドライト型面状光源装置１００は、複数ある棒状部材１０４をそれぞれ別体で形成しているので、図１０（ｂ）に示すように、隣接する線状導光体１０４の連結部において、わずかな隙間が存在する。このため、この隙間との界面において光１０が反射、屈折し、その結果、他の部分よりも光が多く出射する領域（輝線）や、光の出射が少ない領域（暗線）が発生するという問題がある。
【０００６】
【特許文献１】
特開２００２−１５７９０８号公報（図１）
【０００７】
【特許文献２】
特開平１１−２３１３２０号公報（図２２）
【０００８】
【発明が解決しようとする課題】
本発明は、かかる問題点に鑑みてなされたもので、高輝度化と省スペース化を同時に達成でき、かつ輝線や暗線が発生しない線状導光体とそれを用いた照明装置、及び液晶表示装置を提供するものである。
【０００９】
【課題を解決するための手段】
前記課題を解決するため、請求項１に記載の発明においては、点状光源からの光を線状光源に変換する線状導光体であって、線状導光体は、長尺な単一部材で形成されるとともに、光導入部と導光部とを有し、光導入部は、点状光源からの光を線状導光体に導入する入射面と、線状導光体に導入された光を反射する反射部とを有し、導光部は、入射面と略垂直に配置された出射面を有し、反射部は、入射面より導入された光を出射面に向かうように反射し、導光部の出射面と反対側に、光導入部が線状導光体の長手方向に複数配置され、入射面のうち少なくとも１つが、線状導光体の両端部以外に配置されていることを特徴としている。
【００１０】
この発明によれば、光導入部を線状導光体の長手方向に、複数設けているので、導光体の幅を広くすることなく、光源数を増やすことができる。つまり、高輝度化と省スペース化を同時に達成できる。
【００１１】
また、線状導光体には、導光部が設けられ、互いに隣接する光導入部が導光部によって一体的に結合されているので、点状光源からの光の一部は、反射、屈折することなく隣接する光導入部に対応する部分に導波することができる。このため、導光体同士の連結部に起因する暗線、輝線が発生しない。
【００１２】
請求項２に記載の発明は、請求項１に記載の線状導光体であって、光導入部は、光導入部のうち少なくとも一つの線状導光体の長手方向の長さが、他の光導入部の線状導光体の長手方向の長さと異なることを特徴とする。
【００１３】
この発明によれば、各光導入部の反射部で反射される光の量によって、光導入部の線状導光体の長手方向の長さを変えることができる。このため、線状導光体から光を均一に出射することが可能となる。
【００１４】
請求項３に記載の発明は、請求項１または２のいずれか一項に記載の線状導光体であって、光導入部は、線状導光体の長手方向の中心に対して対称に配置されていることを特徴とする。
【００１５】
この発明によれば、線状導光体の全体を設計するのではなく、その半分を設計するだけで、線状導光体から出射される光を均一にできる。
【００１６】
請求項４に記載の発明は、請求項１から３のいずれか一項に記載の線状導光体において、反射部は、複数の凹部と凸部とからなることを特徴とする。
【００１７】
この発明によれば、反射部で反射された光が出射面から出射する割合を大きくすることができ、光の利用効率を向上することができる。
【００１８】
請求項５に記載の発明は、請求項４に記載の線状導光体において、複数の凸部の頂部を結んだ仮想面が、曲面を構成することを特徴とする。
【００１９】
この発明によれば、反射部の各部分に入射する光の向きや量に応じて、当該部分における反射部の角度等を設定することができる。このため、出射する光の均一性や光の利用効率が向上する。
【００２０】
請求項６に記載の発明は、請求項１から３のいずれか一項に記載の線状導光体において、反射部は、鏡面からなることを特徴とする。
【００２１】
この発明によれば、反射部に入射した光は、全て反射部で反射されるため、反射部を透過して線状導光体外部に漏洩する光が極めて少なくなる。このため、光の利用効率を上げることができる。
【００２２】
請求項７に記載の発明は、点状光源と、点状光源からの光を導入してそれを線状光源に変換する線状導光体と、線状導光体からの光を導入してそれを面状に放射する面状導光体とを有する照明装置において、線状導光体は、請求項１〜６のいずれか一項に記載の線状導光体であることを特徴とする。
【００２３】
この発明によれば、高輝度化と省スペース化を同時に達成でき、かつ輝線や暗線が発生しない照明装置を提供できる。
【００２４】
請求項８に記載の発明は、液晶パネルとその液晶パネルに装着される照明装置とを有する液晶表示装置において、照明装置は、請求項７に記載の照明装置であることを特徴とする。
【００２５】
この発明によれば、高輝度化と省スペース化を同時に達成でき、かつ輝線や暗線が発生しない液晶表示装置を得ることができる。
【００２６】
【発明の実施の形態】
以下、本発明を液晶表示装置に具体化した実施の形態を、図１、図２、図３を参照しつつ説明する。
【００２７】
本実施の形態の液晶表示装置１は、液晶パネル２と、フロントライトとしての照明装置３とを有する。
【００２８】
液晶パネル２は反射型の液晶パネルであって、図３に示すように、互いに対向するように配設された透明基板１２ａ、１２ｂを有し、透明基板１２ａ、１２ｂには、それぞれ透明電極１１ａ、１１ｂが設けられている。透明基板１２ａ、１２ｂの間には、シール材１３によって、適宜の間隙（セルギャップ）が設けられており、セルギャップ間に液晶１４が封入されている。また、観測者側に設けられている透明基板１２ａの外側には、偏光板１５および反射防止フィルム１６が順次貼着されており、観測者とは反対側に設けられている透明基板の外側には、反射膜１７が貼着されている。
【００２９】
そして、透明電極１１ａ、１１ｂに適宜信号を印加することにより、液晶パネル２に文字や画像を表示する。
【００３０】
照明装置３は、点状光源としての発光ダイオード６と、発光ダイオード６から出射された光を線状光源に変換する線状導光体４と、線状導光体４から発せられた線状光源を面状に出射する面状導光体５とを有する。
【００３１】
線状導光体４は、アクリル樹脂によって一体形成されており、複数の光導入部８と、これら全ての光導入部８に連結する導光部９とからなる。すなわち、線状導光体４は、単一部材で形成されている。
【００３２】
光導入部８は、入射面８ａと反射部８ｂとを有する。入射面８ａは、発光ダイオード６からの光を線状導光体４の内部に導入する平面である。
【００３３】
反射部８ｂには、線状導光体４の厚さ方向と平行な溝が複数形成されている。すなわち、反射部８ｂは、複数の凹部と複数の凸部とからなる。そして、複数の凸部の最も線状導光体４の外側に位置する部分（頂部）を結んだ仮想面８ｃは、線状導光体４の外側に凸な曲面を構成する。
【００３４】
導光部９は、直方体であり、その長手方向に延びる１つの面が光を出射する出射面９ａとなっている。そして、出射面９ａと対向する仮想平面９ｂ上に、光導入部８が６個連結されている。したがって、線状導光体４は長尺である。
【００３５】
６個の光導入部８は、線状導光体４の長手方向の中心に対して対称に配置されており、光導入部８の線状導光体４の長手方向の長さは、線状導光体４の中心に近づくほど長くなっている。すなわち、光導入部８は、導光部９の出射面９ａと反対側に、線状導光体４の長手方向に複数配置されている。そして、光導入部８のうち少なくとも一つの線状導光体４の長手方向の長さが、他の光導入部８の線状導光体４の長手方向の長さと異なる。
【００３６】
６個の光導入部８のうち、線状導光体４の両端に配置されるものの入射面８ａは、導光部９の両端の端面と連続して同一の平面上に配置される。したがって、導光部９上の出射面９ａは、入射面８ａと略垂直に配置されている。更に、入射面８ａの少なくとも１つが、線状導光体４の両端以外に配置されている。
【００３７】
反射部８ｂは、線状導光体４の中心部を除き、入射面８ａの一端と、隣接する光導入部８の入射面８ａの他端とを結んでおり、線状導光体４の中心部では、入射面８ａの一端と、出射面９ａと対向する仮想平面９ｂの中心線とを結んでいる。
【００３８】
面状導光体５は、透明性の高い材質、例えばアクリル樹脂で形成されており、線状導光体４とほぼ同じ厚さを有している。そして、厚さ方向の辺を有する入射平面５ａと、入射平面５ａに略垂直な出射平面５ｂ、及び出射平面５ｂと対向する面５ｃとを有する。出射平面５ｂと対向する面５ｃにはプリズムが形成されており、入射平面５ａから入射した光を、入射平面５ａと対向する面の方向に導波させる一方、その光の一部を出射平面５ｂに向けて反射する。
【００３９】
発光ダイオード６は、板状に形成されたものであり、その幅が、光導入部８の入射面８ａの幅よりも小さいものが選ばれている。
【００４０】
液晶表示装置１には、光源である発光ダイオードが６個ある。発光ダイオード６の光を出射する面は、線状導光体４の光導入部８の入射面８ａに正面対向するように配置されている。なお、本発明でいう正面対向とは、対向する２つの面のうち、一方の全面が他方の面に対して対向していることをいう。本実施の形態においては、発光ダイオード６の出射する面の全面が、線状導光体４の光導入部８の入射面８ａに対し、対向している。
【００４１】
線状導光体４は、出射面９ａが、面状導光体５の入射平面５ａと対向するように配置されており、液晶パネル２は、面状導光体５の出射平面５ｂと対向するように、それぞれ配置されている。
【００４２】
次に、以上のように構成された液晶表示装置の作用について説明する。
液晶表示装置１は、外部が明るいときには、太陽光や室内光等の外光を使用し、外部が暗いときは照明装置３からの光を使用する。
【００４３】
外光を使用する場合、外光は面状導光体５の出射平面５ｂと対向する面５ｃから、面状導光体５内に入射し、出射平面５ｂから出射し、液晶パネル２を照射する。
【００４４】
一方、照明装置３からの光を使用する場合は、発光ダイオード６の全てに同時に電源が供給され、発光ダイオード６は点灯する。発光ダイオード６から発せられた光は、正面対向する光導入部８の入射面８ａを透過して、線状導光体４の内部に導波する。
【００４５】
線状導光体４の内部に導波した光のうち、その多くは直接光導入部８の反射部８ｂに入射する。反射部８ｂには、線状導光体４の厚さ方向と平行な複数の溝が設けられており、反射部８ｂに入射した光は溝を構成する面にあたり、反射する。この時、反射した光の方向が、出射面９ａとほぼ垂直となるように、溝を構成する面の角度が設定されている。そのため、入射面８ａを通り直接反射部８ｂに入射した光は、垂直面９ａとほぼ垂直となるように反射部８ｂで反射されて、出射面９ａから出射される。
【００４６】
入射面８ａを透過して線状導光体４に入った光のうち、直接反射部８ｂに入射しなかった光は、導光部９を透過して、隣接する光導入部８に対応する部分に導波する。この時、線状導光体４は、一体成形されているため、光導入部８と導光部９の連結部、及び導光部９の互いに隣接する光導入部８に対応する部分間の連結部に隙間等はなく、これらの連結部を光が導波するときにも、屈折や反射することはない。したがって、導光板間の隙間等に起因する輝線や暗線が発生することはない。
【００４７】
導光部９に進んだ光の一部は、出射面９ａから出射されるが、多くは出射面９ａにおける臨界角を超えないため、出射面９ａで全反射される。全反射された光は、他の光導入部８に導波し、その光導入部８の反射部８ｂで反射される。この時、反射された光の導波する方向は、出射面９ａに垂直な方向に近づき、その後出射面９ａから出射される。
【００４８】
線状導光体４は長手方向の中心に対して対称に配置されており、発光ダイオード６は全て線状導光体４の中心を向いている。このため、各光導入部８の入射面８ａから入射された光は、線状導光体４の中心に向かう方向に導波する。そして、各入射面８ａから入射した光の一部は、直接反射部８ｂに入射せずに、導光部９を通り、他の光導入部に入射する。この結果、線状導光体４の中心部付近の光の量が、端部付近よりも多くなる。
【００４９】
このような現象に対して、光導入部８の線状導光体４の長手方向の長さを、線状導光体４の中心の近くにある光導入部８ほど長くなるように設定している。このように光導入部８の長さを設定することにより、光の量の多い部分では、より広い範囲に光を反射し、光の量が少ない部分では、狭い範囲に光を反射させている。この結果、線状導光体４の内部で光の量が不均一となっているのにもかかわらず、出射面９ａから出射される光をほぼ均一にすることができる。
【００５０】
線状導光体４の出射面９ａから出射された光は、出射面９ａに対向して配置された面状導光体５の入射平面５ａを透過して面状導光体５に入る。面状導光体５に入射した光は、出射平面５ｂと出射平面５ｂと対向する面５ｃとの間で全反射を繰り返して、面状導光体５の全体に行き渡るとともに、出射平面５ｂと対向する面５ｃに設けられたプリズムによって、出射平面５ｂにおける臨界角を超える角度に反射され、出射平面５ｂから出射される。
【００５１】
面状導光体５の出射平面５ｃから出射した光は、液晶パネル２で反射し、再び面状導光体５の出射平面５ｂから入射して、面状導光体５を透過し、出射平面５ｂと対向する面５ｃから出射し、目で視認される。
【００５２】
以上記述したように、実施の形態によれば、以下の効果が得られる。
（１）光導入部を線状導光体の長手方向に複数配置する。従って、導光体の幅を広くすることなく、光源数を増やすことができる。つまり、高輝度化と省スペース化を同時に達成できる。
（２）光導入部と導光部とを有した線状導光体であって、線状導光体は単一部材で形成されている。従って、光導入部と導光部の連結部、及び導光部の互いに隣接する光導入部に対応する部分間の連結部に隙間等がなく、これらの連結部を光が導波する時に、屈折や反射することがない。したがって、導光板間の隙間等に起因する輝線や暗線が発生することはない。
（３）各光導入部の線状導光体の長手方向の長さを変える。従って、他の光導入部からの光を考慮して設計できるため、線状導光体から出射される光を均一にできる。
（４）光導入部は、線状導光体の長手方向の中心線に対して対象に配置した。従って、線状導光体の全体を設計するのではなく、その半分を設計するだけで、線状導光体から出射される光を均一にできる。
（５）反射部は、複数の凹部と凸部とからなる。従って、反射部で反射された光が、出射面から出射する割合を大きくすることができ、光の利用効率を向上することができる。
（６）複数の凸部の最も線状導光体の外側に位置する部分（頂部）を結んだ仮想面が線状導光体の外側に凸な曲面を構成するように凹凸形状を形成する。従って、反射部の各部分に入射する光の向きや量に応じて、その部分における反射部の角度等を設定することができる。このため出射する光の均一性や光の利用効率が向上する。
（７）発光ダイオードの光を出射する面は、線状導光体の光導入部の入射面に正面対向するように配置されている。従って、発光ダイオードからの光のうち、直接反射部に入射する光の割合を大きくすることができる。その結果、線状導光体内における光の損失を低減でき、光の利用効率が向上する。
（８）面状導光体と本実施の形態に記載された線状導光体とを組み合わせて照明装置を構成した。従って、高輝度化と省スペース化を同時に達成でき、かつ輝線や暗線が発生しない照明装置を得ることができる。
（９）本実施の形態の線状導光体を用いた照明装置をフロントライトとした液晶表示装置である。従って、高輝度化と省スペース化を同時に達成でき、かつ輝線や暗線が発生しない液晶表示装置を得ることができる。
（１０）本実施の形態の線状導光体を用いた照明装置をフロントライトとした液晶表示装置である。従って、明所では１００％外光を利用することができ、システムの低消費電力化が可能となる。
【００５３】
尚、本発明は前記実施の形態の他、以下の態様でも実施してよい。
○  実施の形態では、光導入部の線状導光体の長手方向の長さを、線状導光体の中心の近くにある光導入部ほど長くなるように設定しているが、各光導入部の線状導光体の長手方向の長さは、均一であってもよい。この構成でも高輝度化と省スペース化を同時に達成でき、かつ輝線や暗線が発生しない線状導光体を得ることができる。ただし、各光導入部の線状導光体の長手方向の長さを変えた方が、線状導光体から出射される光を均一にできる点でより好ましい。
○  実施の形態では、発光ダイオードを６個使用しているが、発光ダイオードの数は、６個でなくてもよく、線状導光体の長さや必要な輝度等により適宜変更すればよい。
○  実施の形態では、線状導光体、面状導光体をアクリル樹脂によって形成しているが、材料はアクリル樹脂に限らず、透明なものであれば、例えば、ポリカーボネイトやポリスチレン、アートン（ＪＳＲ）、ゼオノア（日本ゼオン）等の熱可塑性樹脂、光硬化性樹脂あるいはガラス等でもよい。
○  実施の形態では、光導入部は、線状導光体の中心に対して対称に配置されているが、各光導入部は、どのような配置でもよく、例えば図４に（ａ）に示すように、線状導光体の長手方向の中心に対して非対称となるように配置してもよい。また、図４（ｂ）に示すように、発光ダイオードの出射方向が全て同じ方向になるように配置してもよい。この構成でも、高輝度化と省スペース化を同時に達成でき、かつ輝線や暗線が発生しない線状導光体を得ることができる。
○  実施の形態では、光導入部の反射部の凹部と凸部は、プリズム特性をもつ形状であるが、散乱特性等をもつ形状でもよい。つまり、反射部は反射機能をもつ形状ならばどんな形状でもよい。この構成でも、反射部で反射された光が出射面から出射する割合を大きくすることができ、光の利用効率が向上する。
○  実施の形態では、光導入部の反射部は、凹部と凸部とから形成されているが、鏡面であってもよい。また、反射材を使ってもよい。この構成により、凹凸形状を形成することなく、反射部で反射された光が出射面から出射する割合を大きくすることができ、光の利用効率が向上する。
○  実施の形態では、光導入部の入射面は、出射面と略垂直に配置されているが、光導入部の入射面は、必ずしも線状導光体４の出射面４ｃに対し、垂直でなくてもよい。この構成でも、高輝度化と省スペース化を同時に達成でき、かつ輝線や暗線が発生しない線状導光体を得ることができる。
○  実施の形態では、照明装置をフロントライトとして用いた液晶表示装置であるが、照明装置をバックライトとして用いた液晶表示装置でもよく、照明装置をフロントライトとして用いた液晶表示装置同様、高輝度化と省スペース化を同時に達成でき、かつ輝線や暗線が発生しない液晶表示装置を得ることができる。
【００５４】
【実施例】
以下、本発明を実施例を用いて具体的に説明するが、本発明は実施例に限定されて解釈されないのは当然である。
（実施例１）
点状光源は、６個使用する。なお、点状光源は光が出射する面の長手方向を３ｍｍ、短手方向を１ｍｍとした。
【００５５】
線状導光体は、長手方向８４ｍｍ、短手方向６ｍｍとし、光導入部の長さは均一１４ｍｍとした。（図５ａ参照）また、反射部におけるプリズム形状は、ピッチを２５０μｍで一定とし、深さを５０μｍとした。  面状導光体は、長手方向８１ｍｍ、短手方向６８ｍｍとした。また、前記面状導光体の出射平面と反対側の面に形成される凹凸部は、プリズム特性をもつ形状となっており、該プリズム形状は、ピッチを２５０μｍで一定とし、深さを５０μｍとした。
【００５６】
以上のような、点状光源、線状導光体、面状導光体を用いて、実施の形態の欄に示した構成により、照明装置を作成した。
【００５７】
上記照明装置を用いた時の前記面状導光体８１ｍｍ方向の中心線における各位置の輝度を示したグラフを図７に示す。
【００５８】
（比較例１）
比較例１は、実施例１に記載の線状導光体のかわりに、楔型の線状導光体を複数形成した（図５ｂ参照）以外は、実施例１と同様の点状光源、面状導光体を用いて、実施例１と同様に構成された液晶表示装置である。
【００５９】
なお、前記各線状導光体同士の連結部の長さは、２ｍｍである。
【００６０】
この比較例１の液晶表示装置を用いた時の前記面状導光体８１ｍｍ方向の中心線における各位置の輝度を示したグラフを実施例１と同様、図７に示す。
【００６１】
図７から分かるように、前記光導入部を単一部材で形成することにより、輝線、暗線が発生しなくなる。
【００６２】
（実施例２）
実施例２は、実施例１に記載の光導入部の長さを線状導光体の短手方向から７ｍｍ、１４ｍｍ、２１ｍｍにした（図６参照）以外は、実施例１と同様の点状光源、面状導光体を用いて、実施例１と同様に構成された液晶表示装置である。
【００６３】
この実施例２の液晶表示装置を用いた時の前記面状導光体８１ｍｍ方向の中心線における各位置の輝度を示したグラフを、図８に示す。また、比較例１の液晶表示装置を用いた時の前記面状導光体８１ｍｍ方向の中心線における各位置の輝度を示したグラフを実施例２と同様、図８に示す。
【００６４】
図８から分かるように、前記光導入部の長さを不均一にすることにより、均一な輝度分布を得ることができる。
【００６５】
【発明の効果】上述のように、本発明によれば、光の利用効率が良く、高輝度化と省スペース化を同時に達成でき、かつ輝線や暗線が発生し難い線状導光体、照明装置及びそれを用いた液晶表示装置を提供することが出来る。
【図面の簡単な説明】
【図１】実施の形態に係る液晶表示装置の斜視図。
【図２】（ａ）  図１における照明装置の横断面図。
（ｂ）  図１における光導入部の部分拡大図。
【図３】図１の照明表示装置における液晶パネルの縦断面図。
【図４】他の実施の形態に係る線状導光体の横断面図。
【図５】（ａ）実施例１に係る線状導光体の横断面図。
（ｂ）比較例１に係る線状導光体の横断面図。
【図６】実施例２に係る線状導光体の横断面図。
【図７】面状導光体の長手方向の中心線における各位置の輝度を示したグラフ。
【図８】面状導光体の長手方向の中心線における各位置の輝度を示したグラフ。
【図９】（ａ）従来の照明装置の構成を示す横断面図。
（ｂ）（ａ）に図示した照明装置において、点光源を増やしたときの構成を示す横断面図。
【図１０】（ａ）他の従来の照明装置の構成を示す横断面図。
（ｂ）（ａ）における線状導光体と点状光源との構成を示す横断面図。
【符号の説明】
１…液晶表示装置、２…液晶パネル、３…照明装置、４…線状導光体、５…面状導光体、６…発光ダイオード（点状光源）、８…光導入部、８ａ…入射面、８ｂ…反射部、８ｃ…仮想面、９…導光部、９ａ…出射面。
【図１】
2004227963.tif 000003
【図２】
2004227963.tif 000004
【図３】
2004227963.tif 000005
【図４】
2004227963.tif 000006
【図５】
2004227963.tif 000007
【図６】
2004227963.tif 000008
【図７】
2004227963.tif 000009
【図８】
2004227963.tif 000010
【図９】
2004227963.tif 000011
【図１０】
2004227963.tif 000012